(57)【要約】【課題】大きいサイズの原稿を走査することができる走査装置を提供する。【解決手段】本発明に係る走査装置は、走査される原稿が設置される透明の原稿設置領域が設けられた本体と、原稿設置領域の下方において前記原稿設置領域に対してスライド可能に装着されて、原稿設置領域に設置されている原稿を走査するために用いられる走査センサーと、原稿送り装置と、を備える。原稿送り装置は、本体に装着され、ローラー及びローラーを囲むように設置されたコンベヤーベルトを備える。コンベヤーベルトの外側には、摩擦力を増加させるためのツイルが設けられ、コンベヤーベルトの外側は、原稿設置領域に設置されている原稿に接触し、ローラーは、コンベヤーベルトを連動して回転し、コンベヤーベルトの外側のツイルと原稿との間において、大きな摩擦力が生成されて、原稿を連動して原稿設置領域で移動させる。【選択図】図１
2014023151.tif 000002
【特許請求の範囲】
【請求項１】
走査される原稿が設置される透明の原稿設置領域が設けられた本体と、前記原稿設置領域の下方において前記原稿設置領域に対してスライド可能に装着されて、且つ前記原稿設置領域に設置されている原稿を走査するために用いられる走査センサーと、を備える走査装置であって、
前記本体に装着され、ローラー及び前記ローラーを囲むように設置されたコンベヤーベルトを備え、前記コンベヤーベルトの外側には、摩擦力を増加させるためのツイルが設けられ、前記コンベヤーベルトの外側は、前記原稿設置領域に設置されている原稿に接触し、前記ローラーは、前記コンベヤーベルトを連動して回転し、前記コンベヤーベルトの外側のツイルと前記原稿との間において、大きな摩擦力が生成されて、前記原稿を連動して前記原稿設置領域で移動させる原稿送り装置をさらに備えることを特徴とする走査装置。
【請求項２】
前記原稿設置領域は、互いに対向して設置された２つの長辺及び互いに対向して設置された２つの短辺を備え、前記走査センサーは、前記原稿設置領域の短辺に平行であり、前記走査センサーは、前記原稿設置領域の長辺の長手方向に沿って平行にスライドすることを特徴とする請求項１に記載の走査装置。
【請求項３】
前記原稿送り装置は、前記原稿設置領域の上方に装着されることを特徴とする請求項１又は２に記載の走査装置。
【請求項４】
前記原稿送り装置は、前記原稿設置領域の短辺に平行であることを特徴とする請求項２に記載の走査装置。
【請求項５】
前記原稿のサイズは、前記原稿設置領域のサイズより大きいことを特徴とする請求項１から４のいずれか１項に記載の走査装置。
【請求項６】
前記原稿は、第一部分及び第二部分を備え、前記原稿送り装置を回転することによって前記原稿を移動させて、前記第一部分及び前記第二部分は、前記原稿設置領域に順に移動することを特徴とする請求項１から５のいずれか１項に記載の走査装置。
【請求項７】
前記走査センサーは、前記原稿の第一部分を走査して第一画像ファイルを獲得し、前記原稿の第二部分を走査して第二画像ファイルを獲得することを特徴とする請求項６に記載の走査装置。
【請求項８】
前記第一画像ファイル及び前記第二画像ファイルを合成して１つの合成画像ファイルを獲得するために用いられる画像処理モジュールをさらに備えることを特徴とする請求項７に記載の走査装置。
【発明の詳細な説明】
【技術分野】
【０００１】
本発明は、走査装置に関し、特に大きいサイズの原稿を走査することができる走査装置に関するものである。
【背景技術】
【０００２】
原稿を容易に保存できるように、一般的には、走査装置を利用して原稿を走査した後電子ファイルに変換するが、原稿のサイズはそれぞれ異なる。例えば、Ａ４サイズの原稿及びＡ３サイズの原稿を走査する場合、Ａ３サイズの原稿を走査できる走査装置を使用するしかない。つまり、最も大きいサイズに対応する走査装置を使用しなければならない。しかし、大きいサイズに対応する走査装置のコストは高く、また、大きいサイズの原稿はあまり使用しないためその利用率も低い。
【発明の概要】
【発明が解決しようとする課題】
【０００３】
本発明の目的は、前記課題を解決するために、大きいサイズの原稿を走査することができる走査装置を提供することである。
【課題を解決するための手段】
【０００４】
前記目的を達成するために、本発明に係る走査装置は、走査される原稿が設置される透明の原稿設置領域が設けられた本体と、前記原稿設置領域の下方において前記原稿設置領域に対してスライド可能に装着されて、前記原稿設置領域に設置されている原稿を走査するために用いられる走査センサーと、原稿送り装置と、を備える。前記原稿送り装置は、前記本体に装着され、ローラー及び前記ローラーを囲むように設置されたコンベヤーベルトを備える。前記コンベヤーベルトの外側には、摩擦力を増加させるためのツイルが設けられ、前記コンベヤーベルトの外側は、前記原稿設置領域に設置されている原稿に接触し、前記ローラーは、前記コンベヤーベルトを連動して回転し、前記コンベヤーベルトの外側のツイルと前記原稿との間において大きな摩擦力が生成されて、前記原稿を連動して前記原稿設置領域で移動させる。
【発明の効果】
【０００５】
本発明の走査装置は、原稿送り装置によって原稿設置領域に設置されている原稿を移動させることができる。従って、大きいサイズの原稿を走査することができる。
【図面の簡単な説明】
【０００６】
【図１】本発明の実施形態に係る走査装置の組立斜視図である。
【図２】図１に示す走査装置の機能ブロック図である。
【図３】図１に示す走査装置が原稿を走査している状態を示す図である。
【図４】図１に示す走査装置が他の原稿を走査している状態を示す図である。
【図５】図３に示す原稿が走査された後の画像ファイルを示す図である。
【発明を実施するための形態】
【０００７】
以下、図面を参照して、本発明の実施形態について説明する。
【０００８】
図１及び図２を参照すると、走査装置は、本体２０と、走査センサー３０と、原稿送り装置５０と、制御モジュール６０と、画像処理モジュール７０と、を備える。走査センサー３０、原稿送り装置５０、制御モジュール６０及び画像処理モジュール７０は、本体２０に装着されている。
【０００９】
制御モジュール６０は、走査センサー３０、原稿送り装置５０及び画像処理モジュール７０にそれぞれ接続されている。
【００１０】
本体２０は上側面２５を備える。上側面２５には、透明の原稿設置領域２１が設けられている。原稿設置領域２１はほぼ矩形を呈し、且つ互いに対向して設置された２つの長辺２１１及び互いに対向して設置された２つの短辺２１２を備える。原稿を原稿設置領域２１に設置した後、原稿を走査センサー３０によって走査する。
【００１１】
走査センサー３０は、原稿設置領域２１の下方にスライド可能に装着される。走査センサー３０はほぼストライプ状を呈し、原稿設置領域２１の短辺２１２に平行して位置する。走査センサー３０は、原稿設置領域２１の長辺２１１の長手方向に沿って平行にスライドする。
【００１２】
原稿送り装置５０は、上側面２５上において、原稿設置領域２１の短辺２１２に平行するように装着される。原稿送り装置５０は、ローラー（図示せず）及びローラーを囲むように設置されたコンベヤーベルト５１を備える。コンベヤーベルト５１の外側には、摩擦力を増加させるためのツイル５１１が設けられている。また、コンベヤーベルト５１の外側は、原稿設置領域２１に設置されている原稿に接触する。ローラーは、コンベヤーベルト５１を連動して回転する。コンベヤーベルト５１の外側のツイル５１１と原稿との間において大きな摩擦力が生成されるため、原稿は連動されて、原稿設置領域２１で長辺２１１に直交する方向に沿って移動する。
【００１３】
図３乃至図５を参照すると、走査装置は、大きい原稿８０を走査することができる。原稿８０のサイズは、原稿設置領域２１のサイズより大きい。本実施形態において、原稿８０は、第一部分８１及び第二部分８２を備える。第一部分８１及び第二部分８２のサイズは、それぞれ原稿設置領域２１のサイズに等しい。走査する時、先ず、原稿８０の第一部分８１を原稿設置領域２１に設置する。この時、走査センサー３０は、透明の原稿設置領域２１の下方でスライドしながら第一部分８１を走査して第一画像ファイル９１を獲得する。第一画像ファイル９１は、走査センサー３０によって画像処理モジュール７０に伝送される。制御モジュール６０は、原稿送り装置５０のローラーを制御して回転し、コンベヤーベルト５１を連動して回転して、原稿８０の第二部分８２を原稿設置領域２１上に移動させる。走査センサー３０は、透明の原稿設置領域２１の下方でスライドしながら第二部分８２を走査して第二画像ファイル９２を獲得する。第二画像ファイル９２は、走査センサー３０によって画像処理モジュール７０に伝送される。画像処理モジュール７０は、第一画像ファイル９１及び第二画像ファイル９２を合成して１つの合成画像ファイル９３を獲得する。該合成画像ファイル９３は原稿８０の走査ファイルである。
【００１４】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１５】
２０  本体
２１  原稿設置領域
２５  上側面
３０  走査センサー
５０  原稿送り装置
５１  コンベヤーベルト
６０  制御モジュール
７０  画像処理モジュール
８０  原稿
８１  第一部分
８２  第二部分
９１  第一画像ファイル
９２  第二画像ファイル
９３  合成画像ファイル
２１１  長辺
２１２  短辺
５１１  ツイル
【図１】
2014023151.tif 000003
【図２】
2014023151.tif 000004
【図３】
2014023151.tif 000005
【図４】
2014023151.tif 000006
【図５】
2014023151.tif 000007